(57)【要約】  省電力モードへの移行を、フリッカ現象が抑制され、かつ、省電力モードでの明るさの映像を直ちに投写することができ、プロジェクターの利用者にプロジェクターが故障しているとの誤認識を与えることなく行うものであり、順に電力値が小さな第１乃至第３の電力を光源電力として使用し、第３の電力を選択する入力を受け付けると、光源に前記第２の電力を供給させるとともに映像信号の振幅を下げ、一定時間経過後に、光源に第３の電力を供給させる制御部と、を有する。
2017126042.tif 000002
【特許請求の範囲】
【請求項１】
映像信号に示される映像を投写するプロジェクターであって、
順に電力値が小さな第１乃至第３の電力のいずれかが供給され、供給される電力値が大きくなるにつれて輝度が明るくなる前記映像を生成するための光源と、
前記第１ないし第３の電力のいずれかを選択する入力を受け付ける切換入力部と、
前記切換入力部が前記第３の電力を選択する入力を受け付けると、前記光源に前記第２の電力を供給させるとともに前記映像信号の振幅を下げ、一定時間経過後に、前記光源に前記第３の電力を供給させる制御部と、を有するプロジェクター。
【請求項２】
前記切換入力部が前記第３の電力を選択する入力を受け付けると前記映像信号の振幅を下げるときには、前記第３の電力を選択したときによるものと同じ明るさになるようにする、請求項１又は請求項２に記載のプロジェクター。
【請求項３】
映像信号に示される映像を投写するプロジェクターであって、
順に電力値が小さな第１乃至第３の電力のいずれかが供給され、供給される電力値が大きくなるにつれて輝度が明るくなる前記映像を生成するための光源と、
前記第１ないし第３の電力のいずれかを選択する入力を受け付ける切換入力部と、
前記切換入力部が前記第３の電力を選択する入力を受け付けると、前記光源に前記第２の電力が一定時間供給されている場合には前記光源に前記第３の電力を供給し、前記光源に前記第２の電力が一定時間供給されていない場合には前記光源に前記第２の電力を供給させるとともに前記映像信号の振幅を下げ、一定時間経過後に、前記光源に前記第３の電力を供給させる制御部と、を有するプロジェクター。
【請求項４】
前記制御部は、前記一定時間経過後に、前記光源に前記第３の電力を供給させるときには、前記映像信号の振幅を上げる、請求項１又は請求項３に記載のプロジェクター。
【請求項５】
前記切換入力部が前記第３の電力を選択する入力を受け付けると前記映像信号の振幅を下げるときには、前記第３の電力を選択したときによるものと同じ明るさになるようにする、請求項３又は請求項４に記載のプロジェクター。
【請求項６】
前記映像の振幅を下げる時間は前記一定時間間よりも短い、請求項３乃至請求項５に記載のプロジェクター。
【請求項７】
順に電力値が小さな第１乃至第３の電力のいずれかが供給され、供給される電力値が大きくなるにつれて輝度が明るくなる前記映像を生成するための光源と、前記第１ないし第３の電力のいずれかを選択する入力を受け付ける切換入力部と、を備え、映像信号に示される映像を投写するプロジェクターで行われる光源の電力切換方法であって、
前記切換入力部が前記第３の電力を選択する入力を受け付けると、前記光源に前記第２の電力を供給させるとともに前記映像信号の振幅を下げ、一定時間経過後に、前記光源に前記第３の電力を供給させる、光源の電力切換方法。
【請求項８】
順に電力値が小さな第１乃至第３の電力のいずれかが供給され、供給される電力値が大きくなるにつれて輝度が明るくなる前記映像を生成するための光源と、前記第１ないし第３の電力のいずれかを選択する入力を受け付ける切換入力部と、を備え、映像信号に示される映像を投写するプロジェクターで行われる光源の電力切換方法であって、
前記切換入力部が前記第３の電力を選択する入力を受け付けると、前記光源に前記第２の電力が一定時間供給されている場合には前記光源に前記第３の電力を供給し、前記光源に前記第２の電力が一定時間供給されていない場合には前記光源に前記第２の電力を供給させるとともに前記映像信号の振幅を下げ、一定時間経過後に、前記光源に前記第３の電力を供給させる、光源の電力切換方法。
【発明の詳細な説明】
【技術分野】
【０００１】
本発明は、供給される電力に応じて輝度が変化する光源を用いたプロジェクターおよび光源の電力切換方法に関する。
【背景技術】
【０００２】
プロジェクターは、小型化、高機能化に伴い、会議室、教室、家庭、屋外など様々な環境で使用されている。これらの使用環境は、周囲の明るさがそれぞれ異なることが多く、近年のプロジェクターには投写画像の明るさを使用環境に応じたものとすることが要求されている。このようなプロジェクターを実現するために、供給される電力に応じて輝度が変化する光源が用いられることもある。【０００３】
供給される電力に応じて輝度が変化する光源を用いたプロジェクターでは、一般的に、光源に供給される電力を、明るさの制御とともに省電力の観点からその光源に定められた定格電力の所定の範囲、例えば、定格電力の８０％ないし６０％程度に変化させることにより光源の明るさを制御することが行われている（特許文献１参照）。以下の説明では定格電力の８０％を調光電力、定格電力の６０％以下の電力を省電力として説明する。
【先行技術文献】
【特許文献】
【０００４】
【特許文献１】特開２０１０−１２９３４１号公報
【発明の概要】
【発明が解決しようとする課題】
【０００５】
光源に省電力を供給する場合、その直前に光源に供給されていた電力との差が大な場合にはフリッカ現象が顕著に発生することが知られている。また、電力値の差が少ない状態で一定時間経過させることでフリッカ現象を抑制することができることも知られている。このため、プロジェクターの利用者が定格電力または調光電力を光源に供給している状態から省電力を供給する省電力モードとする操作を行ったときには、フリッカ現象を確実に抑制するためには調光電力を一定時間供給した後に、省電力を供給することが望ましい。【０００６】
しかしながら、上記のような制御を行う場合、操作後の一定時間は、映像の明るさは調光電力によるものとなるため、省電力が供給されている映像よりも明るいものとなる。このため、プロジェクターの利用者が意図していた明るさの映像が投写されるまでに時間がかかるものとなり、プロジェクターの利用者にプロジェクターが故障しているとの誤認識を与えてしまう。【０００７】
本発明は、省電力モードへの移行を、フリッカ現象が抑制され、かつ、省電力モードでの明るさの映像を直ちに投写することができ、プロジェクターの利用者にプロジェクターが故障しているとの誤認識を与えることのないプロジェクターおよび光源の電力切換方法を実現する。
【課題を解決するための手段】
【０００８】
本発明によるプロジェクターは、映像信号に示される映像を投写するプロジェクターであって、
順に電力値が小さな第１乃至第３の電力のいずれかが供給され、供給される電力値が大きくなるにつれて輝度が明るくなる前記映像を生成するための光源と、
前記第１ないし第３の電力のいずれかを選択する入力を受け付ける切換入力部と、
前記切換入力部が前記第３の電力を選択する入力を受け付けると、前記光源に前記第２の電力を供給させるとともに前記映像信号の振幅を下げ、一定時間経過後に、前記光源に前記第３の電力を供給させるとともに前記映像信号の振幅を上げる制御部と、を有する。【０００９】
本発明による光源の電力切換方法は、順に電力値が小さな第１乃至第３の電力のいずれかが供給され、供給される電力値が大きくなるにつれて輝度が明るくなる前記映像を生成するための光源と、前記第１ないし第３の電力のいずれかを選択する入力を受け付ける切換入力部と、を備え、映像信号に示される映像を投写するプロジェクターで行われる光源の電力切換方法であって、
前記切換入力部が前記第３の電力を選択する入力を受け付けると、前記光源に前記第２の電力を供給させるとともに前記映像信号の振幅を下げ、一定時間経過後に、前記光源に前記第３の電力を供給させるとともに前記映像信号の振幅を上げる。
【発明の効果】
【００１０】
上記構成を備える本発明は、第３の電力による省電力モードへの移行を、フリッカ現象が抑制され、かつ、省電力モードでの明るさの映像を直ちに投写することができ、プロジェクターの利用者にプロジェクターが故障しているとの誤認識を与えることがない。
【図面の簡単な説明】
【００１１】
【図１】本発明によるプロジェクターの第１の実施形態の構成を示すブロック図である。
【図２】図１に示した光源部１の光源として使用されるハロゲンランプの性能および名称定義を示す図である。
【図３】本発明の第１の実施形態で行われる制御を示すフローチャートである。
【図４】本発明の第１の実施形態で行われる制御を示すフローチャートである。
【図５】本発明の第２の実施形態で行われる制御を示すフローチャートである。
【図６】本発明の第２の実施形態で行われる制御を示すフローチャートである。
【発明を実施するための形態】
【００１２】
次に、本発明の実施形態について図面を参照して説明する。
【００１３】
第１の実施形態
図１は本発明によるプロジェクターの第１の実施形態の構成を示すブロック図である。
【００１４】
本実施形態のプロジェクター１０は、光源部１、光源制御部２、投写部３、映像処理部４、演算処理部５、データ記録部６、拡大装置部７映像入力部８、および、切換入力部１２から構成され、映像出力機器９より与えられた映像信号に示される映像をスクリーン１１に投写する。
【００１５】
光源部１は供給される電力に応じて輝度が変化する光源を用いて、各種の色光を同時もしくは並列に出力する。様々な種類の光源が適用可能であるが、本実施形態では超高圧水銀ランプが用いられている。
【００１６】
光源制御部２は、光源部１の電力の上げ下げを制御することで光源部１の輝度を制御する。
【００１７】
投写部３は画像光を生成するための空間光変調器であり、液晶パネルやＤＭＤ（Digital Mirror Device）、ＬＣＯＳ（Liquid crystal on silicon）を用いることができる。本実施形態ではＤＭＤを用いている。
【００１８】
映像処理部４は、映像出力機器９から出力され、映像入力部８および演算処理部５を介して入力された映像信号について、映像の振幅調整（明るさ、コントラスト）や映像ミュートのＯＮ／ＯＦＦなどを処理する。
【００１９】
制御部としての演算処理部（ＣＰＵ：Central Processor Unit）５は、光源制御部２、映像処理部４、データ記録部６、および切換入力部１２と接続し、光源制御部２、映像処理部４を、映像入力部８から入力された映像信号、データ記録部６に記録されている内容、切換入力部１２から入力された切換信号に応じて制御することで、プロジェクター１０の基本動作を制御する。
【００２０】
データ記録部６は、演算処理部５による制御に用いられる待機時間を記録する。
【００２１】
拡大装置部７は光学レンズを用いて構成された拡大光学系で、投写部３により生成された画像光を拡大してプロジェクター１０の外部に向けて投写する。
【００２２】
映像入力部８は、映像出力機器９からの映像信号が受け付けるものであり、ＲＧＢ端子やＨＤＭＩ（High-Definition Multimedia Interface）端子などを備え、受け付ける映像信号の種類により、各端子を介して映像信号を受け付ける。
【００２３】
切換入力部１２はプロジェクター１０の利用者からの光源部１の輝度を変更する切換入力を受け付けるもので、受け付けた切換信号を演算処理部５へ送出する。
【００２４】
映像出力機器９は映像信号を出力するもので、実際の機器としてはパーソナルコンピュータ（ＰＣ：Personal Computer）やＤＶＤプレイヤーなどが挙げられる。
【００２５】
図２は、本実施形態で、光源部１の光源として使用される超高圧水銀ランプの性能および名称定義を示す。
【００２６】
超高圧水銀ランプに供給される電力のモードは、第１の電力としての定格電力（ＥＣＯ  ＯＦＦ）、第２の電力としての調光電力（ＥＣＯ１）、第３の電力としての省電力（ＥＣＯ２）の３つの状態を有し、光源の輝度は電力値の割合に応じて輝度が変調され、また、これらの各状態は切換可能とされている。また、光源部１には超高圧水銀ランプを冷却するためのＦＡＮ(不図示)が設けられており、冷却能力を示すＦＡＮの回転数も供給される電力に合わせて、可変される。
【００２７】
次に、本実施形態の制御について図３および図４のフローチャートを参照して説明する。以下の説明は、前提として、プロジェクター１０の光源部１の光源が点灯中に行われる制御についてのものである。
【００２８】
図３のフローチャートは、プロジェクター１０の利用者が定格電力（以下、ＥＣＯ  ＯＦＦ）の状態から省電力（以下、ＥＣＯ２）に切り換えた場合の処理を示している。図４のフローチャートは、プロジェクター１０の利用者が調光電力（以下、ＥＣＯ１）の状態からＥＣＯ２に切り換えた場合の処理を示している。図３のフローチャートと図４のフローチャートの違いは、図３に示すフローチャートではＥＣＯ１に切り換える処理が入り、図４に示すフローチャートでは、すでにＥＣＯ１状態であるため、ＥＣＯ１に切り換えをせずに映像の振幅を下げる処理のみとしている点にある。
【００２９】
まず、図３のフローチャートに示される制御について説明する。
【００３０】
スタート時には、ＥＣＯ  ＭｏｄｅはＥＣＯ  ＯＦＦとされている(ステップＳ１２)。その後、プロジェクター１０の利用者がＥＣＯ  ＯＦＦからＥＣＯ２に切り換える旨の操作入力を切換入力部１２へ行うと(ステップＳ１３)、演算処理部５は、即時にＥＣＯ２に切り換えずに、まず、ＥＣＯ１に切り換るとともに、映像処理部４により映像の振幅（コントラスト）を下げる（ステップＳ１４）。この時、ＥＣＯ１の時よりも投写された画像が暗くなるように映像の振幅を下げる。これにより、プロジェクターの利用者がＥＣＯ２に切り替えたことが分かるようになり、プロジェクターの故障ではないかと誤認識することはない。または、ステップＳ１４における映像の振幅を下げる処理により、投写映像の明るさがＥＣＯ１による明るさよりも低下したＥＣＯ２によるものと同じ明るさになるようにしてもよい。換言すると、ＥＣＯ１の状態にも係らず、ＥＣＯ２によるものと略同じ明るさになるように映像の振幅を定めてもよい。これにより、プロジェクターの利用者が、ＥＣＯ  ＯＦＦからＥＣＯ２への切り替えを明確に認識できるようになるのでより好ましい。
【００３１】
次に、演算処理部５は、ＥＣＯ１からＥＣＯ２へ遷移するかどうかを時間監視するために、カウントを開始し（ステップＳ１５）、カウント値が予め定められた閾値を超えたかを確認する（ステップＳ１６）。
【００３２】
カウント値がしきい値を超え、カウントを開始してからがある一定時間が経過したことが確認されると演算処理部５は、カウントを停止し（ステップＳ１７）、光源に供給する電力をＥＣＯ１からＥＣＯ２に切り換え、映像の振幅を上げて、元の振幅として（ステップＳ１８）終了する(ステップＳ１９)。
【００３３】
ここで、ステップＳ１６で使用されるカウントのしきい値は、データ記録部６から取得する。経験的にフリッカが発生する光源に対して、しきい値は時間に換算すると最低でも３０秒ほど必要であり、本実施形態でも３０秒以上の時間に相当するしきい値が使用されている。
【００３４】
上記のような制御を行うことで、プロジェクター１０の利用者がＥＣＯ  ＯＦＦからＥＣＯ２に切り換える旨の操作入力を切換入力部１２へ行うと、フリッカ現象が抑制され、かつ、省電力モードでの明るさの映像が直ちに投写される。このため、プロジェクターの利用者がプロジェクターの故障ではないかと誤認識することはない。
【００３５】
次に、図４のフローチャートに示される制御について説明する。
【００３６】
図３に示されるフローチャートが、初期状態がＥＣＯ  ＯＦＦである場合の制御であるのに対し、図４に示されるフローチャートは初期状態がＥＣＯ１のとき(ステップＳ２０)に行われる制御を示すものである。このため、プロジェクター１０の利用者がＥＣＯ１からＥＣＯ２に切り換える旨の操作入力を切換入力部１２に行っても(ステップＳ２１)、続くステップＳ２２では、映像の振幅（コントラスト）を下げることのみが行われる。この時、ＥＣＯ１の時よりも投写された画像が暗くなるように映像の振幅を下げる。これにより、プロジェクターの利用者がＥＣＯ２に切り替えたことがわかるようになり、プロジェクターの故障ではないかと誤認識することはない。または、ステップＳ２２における映像の振幅を下げる処理により、投写映像の明るさがＥＣＯ１による明るさよりも低下したＥＣＯ２によるものと同じ明るさになるようにしてもよい。換言すると、ＥＣＯ２によるものと略同じ明るさになるように映像の振幅を定めてもよい。これにより、プロジェクターの利用者が、ＥＣＯ１からＥＣＯ２への切り替えを明確に認識できるようになるのでより好ましい。
【００３７】
ステップＳ２２以降のステップＳ２３ないしステップＳ２７における動作は図３に示したステップＳ１５ないしステップＳ１９における動作と同様である。
【００３８】
第２の実施形態
次に、本発明の第２の実施形態について説明する。本実施形態の装置構成は図１に示した第１の実施形態と同様であり、演算処理部５により行われる制御のみが異なる。そのため、本実施形態の制御について図５および図６のフローチャートを参照して説明する。
【００３９】
まず、図５のフローチャートに示される制御について説明する。
【００４０】
図５に示されるフローチャートは、初期状態としてＥＣＯ  ＯＦＦまたはＥＣＯ２の場合（ステップＳ２８）に行われる。プロジェクター１０の利用者がＥＣＯ  ＯＦＦまたはＥＣＯ２からＥＣＯ１に切り換える旨の操作入力を切換入力部１２へ行うと(ステップＳ２９)、演算処理部５は、ＥＣＯ１状態とするとともに、ＥＣＯ１の状態が一定時間経過したかを確認するためのカウンタ処理を別タスクで処理する（ステップＳ３０）。このＥＣＯ１の状態を一定時間保つ時間をＥＣＯ１待機時間と呼ぶ。また、ステップＳ３０は別タスクで処理されるので、ステップＳ３０の終了を待たずにステップＳ３１へ進む。
【００４１】
図６は、ステップＳ３０で行われる別タスクの処理を示すフローチャートである。
【００４２】
別タスクが開始されると（ステップＳ３７）、演算処理部５は、データ記録部に設けられたＥＣＯ１待機終了フラグをＬｏｗにするとともに、カウントを開始し（ステップＳ３７）、カウントした値がしきい値を超えたかを確認する（ステップＳ３９）。ここで使用されるしきい値は、図３に示したステップＳ１６で用いられるしきい値と同じものであり、データ記録部６から取得する。
【００４３】
ステップＳ３９にてカウントした値がしきい値を超えたことが確認された場合には、カウントを停止し、ＥＣＯ１待機終了フラグをＨｉｇｈにして(ステップＳ４０)、終了する（ステップＳ４１）。
【００４４】
再び図５のフローチャートに戻ると、ステップＳ３０においてＥＣＯ１状態とした後にプロジェクター１０の利用者がＥＣＯ２に切り換える旨の操作入力を切換入力部１２へ行うと(ステップＳ３２)、演算処理部５は、ＥＣＯ１待機終了フラグの状態を確認する（ステップＳ３２）。
【００４５】
ステップＳ３２において、ＥＣＯ１待機終了フラグがＨｉｇｈであることが確認された場合には、演算処理部５は、ＥＣＯ２状態とし、映像の振幅を上げて、元の振幅とした後に(ステップＳ３３)、終了する(ステップＳ３６)。
【００４６】
ステップＳ３２において、ＥＣＯ１待機終了フラグがＬｏｗであることが確認された場合には、演算処理部５は、映像処理部４により映像の振幅を下げたかを確認し（ステップＳ３４）、映像の振幅を下げていない場合には映像の振幅を下げて（ステップＳ３５）、ステップＳ３２に戻る。
【００４７】
ステップＳ３５では、ＥＣＯ１の時よりも投写された画像が暗くなるように映像の振幅を下げる。これにより、プロジェクターの利用者がＥＣＯ２に切り替えたことがわかるようになり、プロジェクターの故障ではないかと誤認識することはない。または、ステップＳ３５における映像の振幅を下げる処理により、投写映像の明るさがＥＣＯ１による明るさよりも低下したＥＣＯ２によるものと同じ明るさになるようにしてもよい。換言すると、ＥＣＯ２によるものと略同じ明るさになるように映像の振幅を定めてもよい。これにより、プロジェクターの利用者が、ＥＣＯ１からＥＣＯ２への切り替えを明確に認識できるようになるのでより好ましい。
【００４８】
ステップＳ３４にて映像の振幅を下げたことが確認された場合には、そのままステップＳ３２に戻る。これにより、映像の振幅を下げることは一度のみ行われる。
【００４９】
ステップＳ３７からステップＳ４１に要する時間（ＥＣＯ１待機時間）と、ステップＳ３２からステップＳ３４若しくはステップ３５を経てステップＳ３２に戻るまでの時間（映像の振幅を下げる時間）との関係について述べる。
【００５０】
ＥＣＯ１からＥＣＯ２に切り替えるときは、ＥＣＯ１待機時間を経過した後でなくてはならない。そこで、ＥＣＯ１待機時間中に、プロジェクターの利用者がＥＣＯ２に切り換える旨の操作入力をした場合には、映像の振幅を下げて投写される画像の明るさを低下する必要がある。つまり、映像の振幅を下げる時間は、ＥＣＯ１待機時間よりも短い。こうすることにより、ＥＣＯ１からＥＣＯ２に切り替えるときに、ＥＣＯ１待機時間中であっても必ず映像の振幅を下げて投写される画像の明るさを低下することができる。そして、プロジェクターの利用者がＥＣＯ２に切り替えたことがわかるようになり、プロジェクターの故障ではないかと誤認識することはない。
【００５１】
上記の制御を行う本実施形態においては、フリッカ現象が発生しないＥＣＯ１状態が一定時間経過している場合には、直ちに省電力モードであるＥＣＯ２に移行するため、第１の実施形態の効果に加えて、より一層の省電力を図ることができるものとなっている。
【００５２】
なお、以上の説明において、定格電力の８０％を調光電力、定格電力の６０％を省電力として説明したがこれらの割合はこれに限定されるものではない。省電力の目安としては、定格電力からの切換時にフリッカ現象が発生する割合のものであり、定格電力の２０％でもかまわない。調光電力の目安としては、一定時間光源への供給が継続した後に省電力に切換えた場合にフリッカ現象が発生しないこととなる。
【符号の説明】
【００５３】
１    光源部
２    光源制御部
３    投写部
４    映像処理部
５    演算処理部
６    データ記録部
７    拡大装置部
８    映像入力部
９    映像出力機器
１０    プロジェクター
１１    スクリーン
１２    切換入力部
【図１】
2017126042.tif 000003
【図２】
2017126042.tif 000004
【図３】
2017126042.tif 000005
【図４】
2017126042.tif 000006
【図５】
2017126042.tif 000007
【図６】
2017126042.tif 000008
【手続補正書】
【提出日】平成30年7月17日(2018.7.17)
【手続補正１】
【補正対象書類名】特許請求の範囲
【補正対象項目名】請求項２
【補正方法】変更
【補正の内容】
【請求項２】
前記切換入力部が前記第３の電力を選択する入力を受け付けると前記映像信号の振幅を下げるときには、前記第３の電力を選択したときによるものと同じ明るさになるようにする、請求項１に記載のプロジェクター。
【手続補正２】
【補正対象書類名】特許請求の範囲
【補正対象項目名】請求項６
【補正方法】変更
【補正の内容】
【請求項６】
前記映像の振幅を下げる時間は前記一定時間よりも短い、請求項３乃至請求項５に記載のプロジェクター。
【手続補正３】
【補正対象書類名】特許請求の範囲
【補正対象項目名】請求項７
【補正方法】変更
【補正の内容】
【請求項７】
順に電力値が小さな第１乃至第３の電力のいずれかが供給され、供給される電力値が大きくなるにつれて輝度が明るくなる映像を生成するための光源と、前記第１ないし第３の電力のいずれかを選択する入力を受け付ける切換入力部と、を備え、映像信号に示される映像を投写するプロジェクターで行われる光源の電力切換方法であって、
前記切換入力部が前記第３の電力を選択する入力を受け付けると、前記光源に前記第２の電力を供給させるとともに前記映像信号の振幅を下げ、一定時間経過後に、前記光源に前記第３の電力を供給させる、光源の電力切換方法。
【手続補正４】
【補正対象書類名】特許請求の範囲
【補正対象項目名】請求項８
【補正方法】変更
【補正の内容】
【請求項８】
順に電力値が小さな第１乃至第３の電力のいずれかが供給され、供給される電力値が大きくなるにつれて輝度が明るくなる映像を生成するための光源と、前記第１ないし第３の電力のいずれかを選択する入力を受け付ける切換入力部と、を備え、映像信号に示される映像を投写するプロジェクターで行われる光源の電力切換方法であって、前記切換入力部が前記第３の電力を選択する入力を受け付けると、前記光源に前記第２の電力が一定時間供給されている場合には前記光源に前記第３の電力を供給し、前記光源に前記第２の電力が一定時間供給されていない場合には前記光源に前記第２の電力を供給させるとともに前記映像信号の振幅を下げ、一定時間経過後に、前記光源に前記第３の電力を供給させる、光源の電力切換方法。
【国際調査報告】
2017126042.tif 000009
2017126042.tif 000010
2017126042.tif 000011
2017126042.tif 000012